(57)【要約】【課題】  ＰＤＰのスキャン放電遅れ時間の長さに応じてスキャンパルス幅を変更する技術において、スキャンパルスのオフセット電圧のマージンが狭い場合に、スキャンパルス幅の設定範囲を広範に変化させてもオフセット電圧がマージン内に入るようする。【解決手段】  スキャンパルスを印加してから選択放電が開始されるまでの遅れ時間に応じてスキャンパルスの幅を設定するスキャンパルス幅設定手段２３を備える。スキャンパルス幅設定手段２３により設定されるスキャンパルス幅に応じて、基準値に対するスキャンパルスの電圧のオフセット量を設定するオフセット電圧設定手段２７を備える。オフセット電圧設定手段２７により設定されたオフセット量だけ基準値からオフセットされた電圧値のスキャンパルスをプラズマディスプレイパネルに対して出力するスキャンパルス出力手段３１を備える。【選択図】    図４
2007264414.tif 000002
【特許請求の範囲】
【請求項１】
複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置において、
スキャンパルスを印加してから選択放電が開始されるまでの遅れ時間に応じてスキャンパルスの幅を設定するスキャンパルス幅設定手段と、
前記スキャンパルス幅設定手段により設定されるスキャンパルス幅に応じて、基準値に対するスキャンパルスの電圧のオフセット量を設定するオフセット電圧設定手段と、
前記オフセット電圧設定手段により設定されたオフセット量だけ前記基準値からオフセットされた電圧値のスキャンパルスを前記プラズマディスプレイパネルに対して出力するスキャンパルス出力手段と、
を備えることを特徴とするプラズマ表示装置。
【請求項２】
前記オフセット電圧設定手段は、
複数種類のスキャンパルス幅と、各スキャンパルス幅と対応する最適なオフセット電圧と、を対応付けて記憶保持したスキャンパルス幅−オフセット電圧最適値変換用テーブルと、
前記スキャンパルス幅−オフセット電圧最適値変換用テーブルを参照することにより、スキャンパルス幅に応じた最適なオフセット電圧を判定する最適オフセット電圧判定手段と、
を備えて構成されることを特徴とする請求項１に記載のプラズマ表示装置。
【請求項３】
複数種類のオフセット電圧と各々対応する電位の複数の電源手段と、
前記複数の電源手段のうちの何れの電源手段からオフセット電圧を出力するかを切り替える切替手段と、
前記オフセット電圧設定手段により設定されたオフセット量に応じて前記切替手段を制御し、前記複数の電源手段のうち何れかの電源手段からオフセット電圧を出力させる切替制御手段と、
を備えることを特徴とする請求項１又は２に記載のプラズマ表示装置。
【請求項４】
複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置を駆動する方法において、
スキャンパルスを印加してから選択放電が開始されるまでの遅れ時間に応じてスキャンパルスの幅を設定する第１の過程と、
前記第１の過程により設定されるスキャンパルス幅に応じて、基準値に対するスキャンパルスの電圧のオフセット量を設定する第２の過程と、
を備えることを特徴とするプラズマ表示装置の駆動方法。
【請求項５】
コンピュータが実行可能なプログラムにおいて、
プラズマディスプレイパネルにスキャンパルスを印加してから選択放電が開始されるまでの遅れ時間に応じてスキャンパルスの幅を設定する第１の処理と、
前記第１の処理により設定されるスキャンパルス幅に応じて、基準値に対するスキャンパルスの電圧のオフセット量を設定する第２の処理と、
をコンピュータに実行させることを特徴とするプログラム。
【発明の詳細な説明】
【技術分野】
【０００１】
本発明は、プラズマ表示装置、その駆動方法及びプログラムに関する。
【背景技術】
【０００２】
図１はプラズマディスプレイパネル（以下、ＰＤＰ）の駆動波形を示すタイムチャートの一部を示すものであり、選択消去駆動方式における一例を示している。
【０００３】
図１に示すように、ＰＤＰを駆動するには、選択期間において、ＰＤＰの所望のアドレス電極に対してアドレス制御信号を印加する一方で、ＰＤＰの所望の走査電極に対してスキャンパルスＰを印加することにより、ＰＤＰが備える複数の表示セルのうちの何れの表示セルを発光させるかを選択する。
【０００４】
一般に、ＰＤＰではＹ側電極（走査電極）とアドレス電極間に放電開始電圧を印加して直ちに選択放電が発生するわけではなく、電圧印加のタイミングから僅かに遅れて選択放電が発生する。すなわち、電圧印加のタイミングから実際に選択放電が発生するまでの間には放電遅れ時間が存在する。
【０００５】
また、放電遅れ時間は、常に一定ではなく、直前の維持放電期間が終了してからの経過時間に応じて変化する。
【０００６】
図２は直前の維持放電期間が終了してからの経過時間（横軸）とスキャン（Ｓｃａｎ）放電遅れ時間（縦軸）との関係を示す図である。
【０００７】
図２に示すように、直前の維持放電期間が終了してからの経過時間が長くなるほど、放電遅れ時間も長くなる。
【０００８】
このように放電遅れ時間に差が生じることは、プラズマディスプレイパネルの表示特性にとって好ましくないため、放電遅れ時間の差を抑制するための工夫がなされている（例えば、特許文献１，２）。
【０００９】
すなわち、例えば、特許文献１，２では、放電遅れ時間を考慮して、１シーケンスの１つのＳＦ（サブフィールド）内においてラインごとにスキャンパルス幅（１つのスキャンパルスの時間の長さ）を細かく変化させる制御を行うことにより、直前の維持放電期間が終了してからの経過時間に応じた放電遅れ時間の変化量を抑制している。
【００１０】
ここで、走査ライン毎にスキャンパルス幅を変化させる理由を、選択消去方式の場合と選択書込方式の場合について、それぞれより詳細に説明する。
【００１１】
（選択消去方式の場合）
直前のサブフィールド（ＳＦ）の維持放電によって発生する荷電粒子の量は経過する時間と共に減少していくという傾向を示す。従って、最初の表示ラインをスキャンするときと、最終表示ラインをスキャンするときとでは、線順次方式でスキャンされていくために直前のＳＦでの維持放電の終了時点からの経過時間に差が生じ、経過時間が長くなるほど、荷電粒子の量が減少している。そのような条件下で安定した書込放電（選択放電）を行うには書込放電強度を強くしてやる必要があり、そのためにスキャンパルス幅を広くしていくことが必要になる。
【００１２】
（選択書込方式の場合）
選択書込方式では、走査維持分離駆動方式が採用されている場合は、初期化期間にて、それまでの表示情報を全てクリアさせるための面放電を画面全面で一括して実施し、面電極上の壁電荷を消去する。そうしないと、前ＳＦで発光していたセルと非発光のセルにおける壁電荷量が異なるため、次の工程であるスキャン期間（走査期間）にてスキャンパルスを印加しても均一に書込が出来なくなるためである。このようにして初期化期間では、全てのセルにおける壁電荷の状態を均一にする。
【００１３】
次に、スキャン期間では、映像信号からの表示情報に基づき、発光させるべき必要のあるセルにのみ、スキャンパルスを印加して発光に必要な壁電荷を形成する。このとき、非発光のセルと発光セルとの間では、壁電荷量に差が出来ている。
【００１４】
次に、維持期間においては、維持パルス（サステインパルス）が印加されるが、前工程（スキャン期間）で発光すべきセルに形成された壁電荷に維持パルスの電圧が重畳されて放電開始電圧を超える電位となり、維持放電が発生する。一方、非発光セルに維持パルスが印加されても、放電開始電圧を超えないような壁電荷しか形成されていないので維持放電は発生しない。
【００１５】
ここで、スキャン期間に注目すると、最初の初期化期間で初期化放電が発生した直後は、セル空間内に荷電粒子が相当数存在しているが、この荷電粒子も時間と共に減少していく。
【００１６】
従って、初期化期間直後、すぐに印加されるスキャンパルス（線順次走査であれば、最初の走査行に相当する。）は、この荷電粒子の量がまだ多いため、書込放電が確実に発生しやすい。
【００１７】
しかしながら、最終行付近になってくると、初期化期間からの経過時間も長くなっているので、セル空間内の荷電粒子の量も、初期化放電直後に比べると減少している。
【００１８】
このような状態であれば、同一のスキャンパルスを印加したとしても、書込放電確率は、スキャン開始直後に比べて低下することになる。
【００１９】
これは、最終行に近づくにつれて、書込放電が起こりにくくなることを意味し、誤灯などの不具合を発生させる。
【００２０】
このような不具合を低減させるために、選択書込方式においても、スキャンパルス幅を行単位または、複数の行単位にスキャンパルス幅を変化させることを行う場合がある。
【００２１】
この時、最終行に近づくにつれてスキャンパルス幅を広くすることで放電強度を増して、書込放電を確実に発生させる。
【特許文献１】特開２００３−７６３１９号公報
【特許文献２】特開２００１−２４２８２３号公報
【発明の開示】
【発明が解決しようとする課題】
【００２２】
しかしながら、放電遅れ時間の長さに応じてスキャンパルス幅を変化させる従来の技術には以下のような課題があった。
【００２３】
先ず、Ｏｆｓ（オフセット）電圧について説明する。Ｏｆｓ電圧とは、Ｙ電極（走査電極）に印加される書込パルス電圧に関し、Ｙ電極の基準電圧値（例えば、ＧＮＤ電位）（以下、基準値と略す）起点の電位が正極性にあった場合には、負極性側にシフトした電圧値、書込パルスの起点が負極性にあった場合には、正極性側にシフトした電圧値のことをＯｆｓ電圧と言う。すなわち、図１に示す電圧ＯｆｓがＯｆｓ電圧である。
【００２４】
また、安定して選択放電を行うことが可能なＯｆｓ電圧の下限値（Ｏｆｓ電圧下限値）とは、Ｏｆｓ電圧がこの下限値未満となると、画面全域にわたって充分な書込ができない状態となってしまう電圧を意味する。すなわち、書込放電後に形成される面電極上の壁電荷が、次のステップの維持期間に必要な壁電荷量を確保できないために、発光すべきセルが発光しないといった不具合や、発光すべきではないセルが発光してしまうといった不具合が発生する値を意味する。
【００２５】
Ｏｆｓ電圧下限値とは逆に、安定して選択放電を行うことが可能なＯｆｓ電圧の上限値（Ｏｆｓ電圧上限値）は、Ｏｆｓ電圧がこの上限値を超えると、放電強度が強くなるために余分な壁電荷が形成され、面電極上に形成される壁電荷の量にアンバランスが生じてしまうようになる電圧値を意味する。従って、Ｏｆｓ電圧がこの上限値を超えると、やはり、Ｏｆｓ電圧が下限値未満となった場合と同様に、発光すべきではないセルが発光してしまう不具合や、発光すべきセルが発光しない不具合が生じる。いわゆる誤灯といわれるものである。
【００２６】
以上のような理由から、Ｏｆｓ電圧値は、Ｏｆｓ電圧上限値とＯｆｓ電圧下限値との間の値に設定しておく必要がある。
【００２７】
図３はスキャンパルス幅（横軸）と、Ｏｆｓ電圧上限値及びＯｆｓ電圧下限値（ともに縦軸）との関係を示す図である。
【００２８】
すなわち、図３には、安定して選択放電（書込動作）を行うことが可能なＯｆｓ電圧の下限値を示す下限値曲線Ａと、安定して選択放電を行うことが可能なＯｆｓ電圧の上限値を示す上限値曲線Ｂと、が示されている。
【００２９】
以下、Ｏｆｓ電圧上限値とＯｆｓ電圧下限値との間の値をＯｆｓマージンと称する。
【００３０】
図３に示すように、Ｏｆｓ電圧上限値（上限値曲線Ｂ）及びＯｆｓ電圧下限値（下限値曲線Ａ）は、ともに、スキャンパルス幅が大きくなるほど、値が小さくなる特性を有する。
【００３１】
しかしながら、従来のＰＤＰの駆動方法においては、Ｏｆｓ電圧値は固定の値に設定されるため、必要とするスキャンパルス幅の全てにおいて、常にＯｆｓ電圧がＯｆｓマージンの範囲内に収まるとは限らなかった。
【００３２】
すなわち、図３に示す特性の場合には、例えば、Ｏｆｓ電圧を５０Ｖに設定した場合には、スキャンパルス幅が図３に示す値Ｃよりも大きくなると、Ｏｆｓ電圧がＯｆｓ電圧上限値を超える、すなわちＯｆｓマージンから外れてしまう。
【００３３】
また、図３に示す特性の場合には、例えば、Ｏｆｓ電圧を４４Ｖに設定した場合には、スキャンパルス幅が図３に示す値Ｄよりも小さくなると、Ｏｆｓ電圧がＯｆｓ電圧下限値を下回る、すなわちＯｆｓマージンから外れてしまう。
【００３４】
Ｏｆｓマージンは、ＰＤＰのセルの構造、放電ガスの種類、製造プロセスなどの諸条件に応じて変動するため、製造時にＰＤＰ個々に最適値を設定する作業が必要であると共に、中には、Ｏｆｓ電圧をＯｆｓマージン内に収めることができずに、やむなくＰＤＰを廃棄せざるを得ない場合も生じていた。
【００３５】
なお、図３に示す下限値曲線Ａ，Ｂが示す具体的な電圧値は一例であり、個々のＰＤＰの特性に応じて変動することは勿論である。
【００３６】
このように、従来は、スキャン放電遅れ時間の長さに応じてスキャンパルス幅を変化させる場合、Ｏｆｓマージンが狭いＰＤＰにおいてはスキャンパルス幅の設定範囲を広範に変化させることができなかった。
【００３７】
本発明が解決しようとする課題には、上述したような問題が一例として挙げられる。
【課題を解決するための手段】
【００３８】
請求項１に記載の発明は、複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置において、スキャンパルスを印加してから選択放電が開始されるまでの遅れ時間に応じてスキャンパルスの幅を設定するスキャンパルス幅設定手段と、前記スキャンパルス幅設定手段により設定されるスキャンパルス幅に応じて、基準値に対するスキャンパルスの電圧のオフセット量を設定するオフセット電圧設定手段と、前記オフセット電圧設定手段により設定されたオフセット量だけ前記基準値からオフセットされた電圧値のスキャンパルスを前記プラズマディスプレイパネルに対して出力するスキャンパルス出力手段と、を備えることを特徴としている。
【００３９】
また、請求項４に記載の発明は、複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置を駆動する方法において、スキャンパルスを印加してから選択放電が開始されるまでの遅れ時間に応じてスキャンパルスの幅を設定する第１の過程と、前記第１の過程により設定されるスキャンパルス幅に応じて、基準値に対するスキャンパルスの電圧のオフセット量を設定する第２の過程と、を備えることを特徴としている。
【００４０】
また、請求項５に記載の発明は、コンピュータが実行可能なプログラムにおいて、プラズマディスプレイパネルにスキャンパルスを印加してから選択放電が開始されるまでの遅れ時間に応じてスキャンパルスの幅を設定する第１の処理と、前記第１の処理により設定されるスキャンパルス幅に応じて、基準値に対するスキャンパルスの電圧のオフセット量を設定する第２の処理と、をコンピュータに実行させることを特徴としている。
【発明を実施するための最良の形態】
【００４１】
次に、実施形態を説明する。
【００４２】
本実施形態に係るプラズマ表示装置は、複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置において、スキャンパルスを印加してから選択放電が開始されるまでの遅れ時間に応じてスキャンパルスの幅を設定するスキャンパルス幅設定手段と、前記スキャンパルス幅設定手段により設定されるスキャンパルス幅に応じて、基準値に対するスキャンパルスの電圧のオフセット量を設定するオフセット電圧設定手段と、前記オフセット電圧設定手段により設定されたオフセット量だけ前記基準値からオフセットされた電圧値のスキャンパルスを前記プラズマディスプレイパネルに対して出力するスキャンパルス出力手段と、を備えることを特徴としている。
【００４３】
本実施形態に係るプラズマ表示装置においては、前記オフセット電圧設定手段は、複数種類のスキャンパルス幅と、各スキャンパルス幅と対応する最適なオフセット電圧と、を対応付けて記憶保持したスキャンパルス幅−オフセット電圧最適値変換用テーブルと、前記スキャンパルス幅−オフセット電圧最適値変換用テーブルを参照することにより、スキャンパルス幅に応じた最適なオフセット電圧を判定する最適オフセット電圧判定手段と、を備えて構成されることが好ましい。
【００４４】
本実施形態に係るプラズマ表示装置においては、複数種類のオフセット電圧と各々対応する電位の複数の電源手段と、前記複数の電源手段のうちの何れの電源手段からオフセット電圧を出力するかを切り替える切替手段と、前記オフセット電圧設定手段により設定されたオフセット量に応じて前記切替手段を制御し、前記複数の電源手段のうち何れかの電源手段からオフセット電圧を出力させる切替制御手段と、を備えることが好ましい。
【００４５】
また、本実施形態に係るプラズマ表示装置の駆動方法は、複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置を駆動する方法において、スキャンパルスを印加してから選択放電が開始されるまでの遅れ時間に応じてスキャンパルスの幅を設定する第１の過程と、前記第１の過程により設定されるスキャンパルス幅に応じて、基準値に対するスキャンパルスの電圧のオフセット量を設定する第２の過程と、を備えることを特徴としている。
【００４６】
また、本実施形態に係るプログラムは、コンピュータが実行可能なプログラムにおいて、プラズマディスプレイパネルにスキャンパルスを印加してから選択放電が開始されるまでの遅れ時間に応じてスキャンパルスの幅を設定する第１の処理と、前記第１の処理により設定されるスキャンパルス幅に応じて、基準値に対するスキャンパルスの電圧のオフセット量を設定する第２の処理と、をコンピュータに実行させることを特徴としている。
【００４７】
以上のような実施形態によれば、複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置において、スキャンパルスを印加してから選択放電が開始されるまでの遅れ時間に応じてスキャンパルスの幅を設定するスキャンパルス幅設定手段と、前記スキャンパルス幅設定手段により設定されるスキャンパルス幅に応じて、基準値に対するスキャンパルスの電圧のオフセット量を設定するオフセット電圧設定手段と、前記オフセット電圧設定手段により設定されたオフセット量だけ前記基準値からオフセットされた電圧値のスキャンパルスを前記プラズマディスプレイパネルに対して出力するスキャンパルス出力手段と、を備えるので、スキャンパルスを印加してから選択放電が開始されるまでの遅れ時間（スキャン放電遅れ時間）の長さに応じてスキャンパルス幅を変化させる技術において、Ｏｆｓマージンが狭い場合であっても、スキャンパルスの電圧（スキャンパルスのオフセット電圧）がＯｆｓマージン内に入るようにすることができる。よって、Ｏｆｓマージンが狭い場合であっても、スキャンパルス幅の設定範囲を広範に変化させることが可能となる。
【００４８】
また、複数の表示セルを有するプラズマディスプレイパネルを備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置を駆動する方法において、スキャンパルスを印加してから選択放電が開始されるまでの遅れ時間に応じてスキャンパルスの幅を設定する第１の過程と、前記第１の過程により設定されるスキャンパルス幅に応じて、基準値に対するスキャンパルスの電圧のオフセット量を設定する第２の過程と、を備えるので、スキャンパルスを印加してから放電が開始されるまでの遅れ時間（スキャン放電遅れ時間）の長さに応じてスキャンパルス幅を変化させる技術において、Ｏｆｓマージンが狭い場合であっても、スキャンパルスの電圧（スキャンパルスのオフセット電圧）がＯｆｓマージン内に入るようにすることができる。よって、Ｏｆｓマージンが狭い場合であっても、スキャンパルス幅の設定範囲を広範に変化させることが可能となる。
【００４９】
また、コンピュータが実行可能なプログラムにおいて、プラズマディスプレイパネルにスキャンパルスを印加してから選択放電が開始されるまでの遅れ時間に応じてスキャンパルスの幅を設定する第１の処理と、前記第１の処理により設定されるスキャンパルス幅に応じて、基準値に対するスキャンパルスの電圧のオフセット量を設定する第２の処理と、をコンピュータに実行させるので、スキャンパルスを印加してから放電が開始されるまでの遅れ時間（スキャン放電遅れ時間）の長さに応じてスキャンパルス幅を変化させる技術において、Ｏｆｓマージンが狭い場合であっても、スキャンパルスの電圧（スキャンパルスのオフセット電圧）がＯｆｓマージン内に入るようにすることができる。よって、Ｏｆｓマージンが狭い場合であっても、スキャンパルス幅の設定範囲を広範に変化させることが可能となる。
【実施例１】
【００５０】
次に、実施例１を説明する。
【００５１】
図４は実施例１に係るプラズマ表示装置１００の構成を示すブロック図である。
【００５２】
図４に示すように、実施例１に係るプラズマ表示装置１００は、入力される画像データに含まれる画像平均輝度情報を取得する画像平均輝度取得回路２１と、画像平均輝度取得回路２１により取得された画像平均輝度情報に応じて各ＳＦ（サブフィールド）における維持放電回数を計算により求める各ＳＦ維持放電回数計算手段２２と、各ＳＦ維持放電回数計算手段２２により計算された維持放電回数に基づいて、スキャンパルスを印加してから選択放電が開始されるまでの遅れ時間を判断し、この遅れ時間（放電遅れ時間）に応じて必要なスキャンパルス幅を判定する必要スキャンパルス幅判定手段２３と、この必要スキャンパルス幅判定手段２３による判定に用いられるＳＦあたり維持放電回数対必要スキャンパルス幅設定値変換テーブル２４と、必要スキャンパルス幅判定手段２３による判定結果に応じてスキャンパルス幅を制御するスキャンパルス幅制御手段２５と、このスキャンパルス幅制御手段２５により制御されたパルス幅のスキャンパルスを発生するスキャンパルス発生手段２６と、必要スキャンパルス幅判定手段２３による判定結果に応じてオフセット電圧の最適値を判定するオフセット電圧制御最適値判定手段（最適オフセット電圧判定手段）２７と、このオフセット電圧制御最適値判定手段２７による判定に用いられるスキャンパルス幅対オフセット電圧制御最適値変換テーブル（スキャンパルス幅−オフセット電圧最適値変換用テーブル）２８と、オフセット電圧制御最適値判定手段２７による判定結果に応じてオフセット電圧を制御するオフセット電圧制御手段２９と、このオフセット電圧制御手段２９により制御されたオフセット電圧を発生するオフセット電圧発生手段３０と、スキャンパルス発生手段２６により発生されたスキャンパルスのオフセット電圧をオフセット電圧発生手段３０により発生されたオフセット電圧に設定し、該設定後のスキャンパルスをプラズマディスプレイパネル１５０（図７、図８参照）のパネルＹ側電極３２に出力するＹ側ドライブ回路３１と、パネルＹ側電極３２を備えるプラズマディスプレイパネル１５０と、を備えて構成されている。
【００５３】
図８に示すように、プラズマディスプレイパネル１５０（以下、ＰＤＰ１５０）を駆動するには、ＰＤＰ１５０が備えるＹ側電極（走査電極）、維持電極及びデータ電極（アドレス電極）の何れかに対して選択的に、所望のタイミングで駆動波形を印加することにより、ＰＤＰ１５０の表示セルのうち所望の表示セルにて所望の放電を起こさせる。これにより、所望の表示セルにて表示発光が生じ、画像が表示される。
【００５４】
Ｙ側電極（走査電極）、維持電極及びデータ電極（アドレス電極）に印加する波形はサブフィールド（ＳＦ）という基本単位を有し、サブフィールドの動作を繰り返すことにより一連の画像表示を行うことができる。
【００５５】
１つのサブフィールドＳＦは、維持消去期間、予備放電期間、選択期間（走査期間）及び維持期間の４つの期間を、時系列においてこの順に備えて構成されている。
【００５６】
このうち選択期間において、ＰＤＰ１５０の所望のアドレス電極に対してアドレス制御信号を印加する一方で、ＰＤＰ１５０の所望の走査電極に対してスキャンパルスＰを印加することにより、ＰＤＰ１５０が備える複数の表示セルのうちの何れの表示セルを発光させるかを選択する。また、維持期間では、選択された表示セルにおいて、画像データに含まれる輝度情報に応じた発光回数で維持放電（発光動作）を行わせる。
【００５７】
一般に、ＰＤＰでは、選択期間において、Ｙ側電極（走査電極）とアドレス電極間に放電開始電圧を印加して直ちに選択放電が発生するわけではなく、電圧印加のタイミングから僅かに遅れて選択放電が発生する。すなわち、電圧印加のタイミングから実際に選択放電が発生するまでの間には放電遅れ時間が存在する。
【００５８】
また、放電遅れ時間は、常に一定ではなく、直前の維持放電期間が終了してからの経過時間及び直前のＳＦにおける維持放電回数に応じて変化する。
【００５９】
図２は直前の維持放電期間が終了してからの経過時間（横軸）とスキャン（Ｓｃａｎ）放電遅れ時間（縦軸）との関係を示す図である。
【００６０】
図２に示すように、直前の維持放電期間が終了してからの経過時間が長くなるほど、放電遅れ時間も長くなり、直前のＳＦにおける維持放電回数が多いほど、放電遅れ時間は短くなる。
【００６１】
このように放電遅れ時間に差が生じることは、プラズマディスプレイパネルの表示特性にとって好ましくない。
【００６２】
このため、プラズマ表示装置１００においては、以下に説明するように放電遅れ時間の長さに応じてスキャンパルス幅を変更する制御がなされる結果、直前の維持放電期間が終了してからの経過時間に応じた放電遅れ時間の変化量が抑制される。
【００６３】
すなわち、ＳＦあたり維持放電回数対必要スキャンパルス幅設定値変換テーブル２４は、ＳＦあたり維持放電回数と、必要な必要スキャンパルス幅とを対応付けて記憶保持している。
【００６４】
そして、必要スキャンパルス幅判定手段２３は、各ＳＦ維持放電回数計算手段２２により計算された各ＳＦにおける維持放電回数に応じて必要なスキャンパルス幅を、ＳＦあたり維持放電回数対必要スキャンパルス幅設定値変換テーブル２４を参照することにより判定する。すなわち、必要スキャンパルス幅判定手段２３は、各ＳＦ維持放電回数計算手段２２により計算された各ＳＦにおける維持放電回数と対応するスキャンパルス幅をＳＦあたり維持放電回数対必要スキャンパルス幅設定値変換テーブル２４より取得する。
【００６５】
そして、必要スキャンパルス幅判定手段２３は、判定結果（ＳＦあたり維持放電回数対必要スキャンパルス幅設定値変換テーブル２４より取得したスキャンパルス幅）のデータをスキャンパルス幅制御手段２５及びオフセット電圧制御最適値判定手段２７に出力する。
【００６６】
これにより、放電遅れ時間の長さに応じてスキャンパルス幅（スキャンパルスのアクティブ期間の長さ）を変更する制御がなされ、結果として、直前の維持放電期間が終了してからの経過時間に応じた放電遅れ時間の変化量が抑制される。
【００６７】
なお、必要スキャンパルス幅判定手段２３及びＳＦあたり維持放電回数対必要スキャンパルス幅設定値変換テーブル２４により、スキャンパルスを印加してから放電が開始されるまでの遅れ時間に応じてスキャンパルスの幅を設定するスキャンパルス幅設定手段が構成される。
【００６８】
スキャンパルス幅制御手段２５は、必要スキャンパルス幅判定手段２３による判定結果に応じて、スキャンパルス発生手段２６を制御することにより、スキャンパルス幅を制御する。
【００６９】
より具体的には、スキャンパルス幅制御手段２５は、例えば、スキャンパルス発生手段２６に対してＣＬＫ数変調を行うことにより、スキャンパルス幅の変更制御を行う。すなわち、スキャンパルス幅制御手段２５は、ＣＬＫ数変調用のメモリを備え、このメモリに記憶された内容に従い、スキャンパルス発生手段２６で設定されている出力設定を強制的に変更することにより、スキャンパルス幅の変更制御を行う。また、スキャンパルス幅制御手段２５が備えるＣＬＫ数変調用のメモリの内容は、必要スキャンパルス幅判定手段２３による判定結果に応じて書き換えられる。
【００７０】
スキャンパルス発生手段２６は、スキャンパルス幅制御手段２５により制御されたパルス幅のスキャンパルスを発生し、該発生したスキャンパルスをＹ側ドライブ回路３１に出力する。
【００７１】
なお、スキャンパルス発生手段２６は、例えば、所定のスキャンパルス発生パターンを記憶したメモリを備え、このメモリに記憶されたパターンに従って、所定期間のローレベルと所定期間のハイレベルをＹ側ドライブ回路３１に出力するパターンジェネレータである。
【００７２】
ここで、スキャンパルス発生手段２６が発生するスキャンパルスは、いまだ電圧値が決定されておらず（オフセット電圧が未定）、スキャンパルスの幅とタイミングだけを決める情報であり、Ｙ側ドライブ回路３１にて最終形のスキャンパルスが生成される。
【００７３】
また、スキャンパルス幅対オフセット電圧制御最適値変換テーブル２８は、スキャンパルス幅と、各スキャンパルス幅に応じて最適なオフセット電圧値とを対応付けて記憶保持している。
【００７４】
オフセット電圧制御最適値判定手段２７は、スキャンパルス幅対オフセット電圧制御最適値変換テーブル２８を参照することにより、必要スキャンパルス幅判定手段２７による判定結果に応じた最適なオフセット電圧値を判定する。
【００７５】
すなわち、オフセット電圧制御最適値判定手段２７は、必要スキャンパルス幅判定手段２３より入力されたスキャンパルス幅のデータと対応するオフセット電圧値をスキャンパルス幅対オフセット電圧制御最適値変換テーブル２８より取得する。
【００７６】
更に、オフセット電圧制御最適値判定手段２７は、取得したオフセット電圧値をオフセット電圧制御手段２９に出力する。
【００７７】
なお、オフセット電圧制御最適値判定手段２７及びスキャンパルス幅対オフセット電圧制御最適値変換テーブル２８により、スキャンパルス幅設定手段により設定されるスキャンパルス幅に応じて、基準値に対するスキャンパルスの電圧のオフセット量を設定するオフセット電圧設定手段が構成される。
【００７８】
オフセット電圧制御手段２９は、オフセット電圧制御最適値判定手段２７による判定結果（オフセット電圧制御最適値判定手段２７が取得しオフセット電圧制御手段２９に入力したオフセット電圧値）に応じて、オフセット電圧発生手段３０を制御することにより、スキャンパルス幅に応じた最適なオフセット電圧をオフセット電圧発生手段３０からＹ側ドライブ回路３１に出力させる。
【００７９】
Ｙ側ドライブ回路３１は、スキャンパルス発生手段２６から入力されたスキャンパルスのＬＯＷレベル電圧を、オフセット電圧発生手段３０から出力されたオフセット電圧となるようオフセットさせて、該オフセット後のスキャンパルスをプラズマディスプレイパネル１５０に対して出力する。
【００８０】
すなわち、Ｙ側ドライブ回路３１からプラズマディスプレイパネル１５０に出力されるスキャンパルスは、スキャンパルス幅制御手段２５により制御されたパルス幅で、オフセット電圧制御手段２９により制御されたオフセット電圧のスキャンパルスである。
【００８１】
なお、Ｙ側ドライブ回路３１により、オフセット電圧設定手段により設定されたオフセット量だけ前記基準値からオフセットされた電圧値のスキャンパルスをプラズマディスプレイパネルに対して出力するスキャンパルス出力手段が構成される。
【００８２】
次に、オフセット電圧発生手段３０より出力されるオフセット電圧について、詳細に説明する。  
【００８３】
先ず、オフセット電圧とは、Ｙ電極（走査電極）に印加される書込パルス電圧に関し、Ｙ電極の基準電圧値（例えば、ＧＮＤ電位）より正電位側を正極性、負電位側を負極性と定義した場合、書込パルス起点の電位が正極性にあった場合には、負極性側にシフトした電圧値、書込パルスの起点が負極性にあった場合には、正極性側にシフトした電圧値のことをオフセット電圧と言う。すなわち、図１に示す電圧Ｏｆｓがオフセット電圧である。
【００８４】
また、安定して選択放電を行うことが可能なオフセット電圧の下限値（オフセット電圧下限値）とは、オフセット電圧がこの下限値未満となると、画面全域にわたって充分な書込ができない状態となってしまう電圧を意味する。すなわち、書込放電後に形成される面電極上の壁電荷が、次のステップの維持期間に必要な壁電荷量を確保できないために、発光すべきセルが発光しないといった不具合や、発光すべきではないセルが発光してしまうといった不具合が発生する値を意味する。
【００８５】
オフセット電圧下限値とは逆に、安定して選択放電を行うことが可能なオフセット電圧の上限値（オフセット電圧上限値）は、オフセット電圧がこの上限値を超えると、放電強度が強くなるために余分な壁電荷が形成され、面電極上に形成される壁電荷の量にアンバランスが生じてしまうようになる電圧値を意味する。従って、オフセット電圧がこの上限値を超えると、やはり、オフセット電圧が下限値未満となった場合と同様に、発光すべきではないセルが発光してしまう不具合や、発光すべきセルが発光しない不具合が生じる。いわゆる誤灯といわれるものである。
【００８６】
以上のような理由から、オフセット電圧値は、オフセット電圧上限値とオフセット電圧下限値との間の値に設定しておく必要がある。
【００８７】
図５はスキャンパルス幅（横軸）と、オフセット（Ｏｆｓ）電圧上限値及びオフセット電圧下限値（ともに縦軸）との関係を示す図である。
【００８８】
すなわち、図５には、安定して選択放電（書込動作）を行うことが可能なオフセット電圧の下限値を示す下限値曲線Ａと、安定して選択放電を行うことが可能なオフセット電圧の上限値を示す上限値曲線Ｂと、が示されている。
【００８９】
以下、オフセット電圧上限値とオフセット電圧下限値との間の値をオフセット（Ｏｆｓ）マージンと称する。
【００９０】
図５に示すように、オフセット電圧上限値（上限値曲線Ｂ）及びオフセット電圧下限値（下限値曲線Ａ）は、ともに、スキャンパルス幅が大きくなるほど、値が小さくなる特性を有する。
【００９１】
なお、図５に示す下限値曲線Ａ，Ｂが示す具体的な電圧値は一例であり、個々のＰＤＰの特性に応じて変動することは勿論である。
【００９２】
オフセット電圧の電圧値とスキャンパルス幅には図５の関係があるため、従来のようなオフセット電圧を一定の値にする技術では、Ｏｆｓマージンの変動に対応できない。
【００９３】
そこで、実施例１では、例えば、図５に示すオフセット電圧変化曲線Ｅに従って、Ｏｆｓ電圧値をスキャンパルス幅に応じて変化させることにより、オフセット電圧値を常にオフセット電圧上限値とオフセット電圧下限値との間の値（オフセットマージン内の値）に設定する。
【００９４】
具体的には、例えば、図５に示すように、スキャンパルス幅が大きくなるほどオフセット電圧の値が小さくなるように、該オフセット電圧の値を階段状に変化させることが挙げられる。
【００９５】
ここで、オフセット電圧発生手段３０は、具体的には、例えば、以下に説明するように構成することができる。
【００９６】
図６はオフセット電圧発生手段３０の構成を示す回路図である。
【００９７】
図６に示すように、オフセット電圧発生手段３０は、複数種類のオフセット電圧と各々対応する電位の複数の電源（電源手段）４１〜４４と、これら複数の電源４１〜４４のうちの何れの電源からオフセット電圧を出力するかを切り替えるスイッチ（切替手段）５１〜５４と、を備えている。
【００９８】
電源４１は図５に示す第１のオフセット電圧Ｅ１の電位を有し、電源４２は図５に示す第２のオフセット電圧Ｅ２の電位を有し、電源４３は図５に示す第３のオフセット電圧Ｅ３の電位を有し、電源４４は図５に示す第４のオフセット電圧Ｅ４の電位を有する。
【００９９】
第１乃至第４のオフセット電圧Ｅ１〜Ｅ４の大小関係は、Ｅ１＞Ｅ２＞Ｅ３＞Ｅ４の関係となっている。
【０１００】
スイッチ５１は電源４１と、スイッチ５２は電源４２と、スイッチ５３は電源４３と、スイッチ５４は電源４４と、それぞれ直列に接続されている。
【０１０１】
また、例えば、各スイッチ５１〜５４の端子のうち、電源４１〜４４と接続されているのとは反対側の端子は、それぞれ逆流防止用ダイオード６１〜６４のカソードに接続されている。
【０１０２】
また、これら逆流防止用ダイオード６１〜６４のアノードは、オフセット電圧の出力端子６５に対して共通接続されている。
【０１０３】
逆流防止用ダイオード６１〜６４は、各電源４１〜４４に対して他の電源からの電圧の流れ込みを阻止するためものである。
【０１０４】
オフセット電圧制御手段２９は、オフセット電圧制御最適値判定手段２７による判定値、すなわちスキャンパルス幅に応じた最適なオフセット電圧値に応じて、そのオフセット電圧値と対応するスイッチ（スイッチ５１〜５４のうちの何れか一つのスイッチ）をオンとさせる。
【０１０５】
すると、オンとなったスイッチが接続されている電源（電源４１〜４４のうちの何れか一つの電源）より、オフセット電圧がＹ側ドライブ回路３１へと出力される。
【０１０６】
すなわち、オフセット電圧制御手段２９は、オフセット電圧設定手段により設定されたオフセット量に応じて切替手段を制御し、複数の電源手段のうち何れかの電源手段からオフセット電圧を出力させる切替制御手段を構成する。
【０１０７】
なお、以上において、各ＳＦ維持放電回数計算手段２２、必要スキャンパルス幅判定手段２３、スキャンパルス幅制御手段２５、オフセット電圧制御最適値判定手段２７、オフセット電圧制御手段２９及びＹ側ドライブ回路３１は、例えば、プログラム制御により動作するマイクロコンピュータ（コンピュータ）により構成することができる。
【０１０８】
図７はプラズマディスプレイパネル１５０（以下、ＰＤＰ１５０）の構造を示す分解斜視図である。
【０１０９】
図７に示すように、ＰＤＰ１５０は、相互に平行に配置された前面基板１０及び背面基板１１の２枚の基板を備えている。
【０１１０】
前面基板１０における背面基板１１との対向面側には、透明な走査電極１４及び透明な維持電極１５を、それぞれＰＤＰ１５０の行方向（図７では左右方向）に延在するように形成する。
【０１１１】
更に、前面基板１０には、走査電極１４及び維持電極１５を覆う誘電体層１９Ａ並びにこの誘電体層１９Ａを放電から保護する酸化マグネシウムなどからなる保護層１８を形成する。
【０１１２】
背面基板１１における前面基板１０との対向面側には、ＰＤＰ１５０の面方向に対し垂直な方向から見て、走査電極１４及び維持電極１５と直交する列方向（図７では手前側から右斜め奥に向かう方向）に延在するようにデータ電極（アドレス電極）１６を形成する。
【０１１３】
更に、背面基板１１には、データ電極１６を覆う誘電体層１９Ｂと、この誘電体層１９Ｂ上において列方向に延在し、表示セルを行方向において区切る隔壁１２を、該誘電体層１９Ｂより垂直に起立する起立壁状に形成する。
【０１１４】
加えて、隔壁１２の側面及び誘電体層１９Ｂの表面上には、放電ガスの放電により発生する紫外線を可視光に変換する蛍光体層１７を形成する。
【０１１５】
こうして、前面基板１０と背面基板１１との間の空間には、隔壁１２により区画された放電空間１３が形成される。
【０１１６】
この放電空間１３内には、放電ガスを充填する。
【０１１７】
ＰＤＰ１５０においては、走査電極１４とデータ電極１６との最近接点及び維持電極１５とデータ電極１６との最近接点を夫々１つずつ含むように、表示セルが行列状に配置されている。従って、ＰＤＰ１５０は（ｎ×ｍ）個の表示セルを備えている。
【０１１８】
次に、図８を参照して、以上において説明したＰＤＰ１５０を備えて構成されるプラズマ表示装置１００の好適な一例について説明する。
【０１１９】
図８は、本実施例に係るプラズマ表示装置１００の全体構成の好適な一例を示すブロック図である。なお、図４に示す構成要素は、図８のドライバ制御回路１３７内に備えられている。
【０１２０】
図８に示すプラズマ表示装置１００は、アナログインタフェース１２０と、ＰＤＰモジュール１３０とを備えて概略構成されている。
【０１２１】
ＰＤＰモジュール１３０は、上記のようにして製造されたプラズマディスプレイパネル１５０（以下、ＰＤＰ１５０）を備えている。
【０１２２】
アナログインタフェース１２０は、クロマ・デコーダを備えたＹ／Ｃ分離回路  １２１と、Ａ／Ｄ変換回路１２２と、ＰＬＬ回路を備えた同期信号制御回路１２３と、画像フォーマット変換回路１２４と、逆γ（ガンマ）変換回路１２５と、システム・コントロール回路１２６と、ＰＬＥ制御回路１２７とを備えて構成されている。
【０１２３】
アナログインタフェース１２０は、概略的には、受信したアナログ映像信号をディジタル信号に変換したのち、これをＰＤＰモジュール１３０に供給する機能を有している。
【０１２４】
例えばテレビチューナーから入力されるアナログ映像信号は、Ｙ／Ｃ分離回路１２１において、Ｒ（赤），Ｇ（緑）、Ｂ（青）の各色の輝度信号に分解されたのち、Ａ／Ｄ変換回路１２２においてディジタル信号に変換される。
【０１２５】
その後、ＰＤＰモジュール１３０の画素構成と映像信号の画素構成とが相互に異なる場合には、画像フォーマット変換回路１２４において、必要な画像フォーマットの変換処理が行われる。
【０１２６】
Ａ／Ｄ変換回路１２２において、映像信号のＡ／Ｄ（アナログ／ディジタル）変換を行ったのち、逆γ変換回路１２５において、映像信号に対して逆γ変換を施して、線形特性に復元されたディジタル映像信号を生成する。このようにして生成されたディジタル映像信号は、ＲＧＢ映像信号として、ＰＤＰモジュール１３０に出力される。
【０１２７】
同期信号制御回路１２３に内蔵されているＰＬＬ（位相同期ループ）回路は、アナログ映像信号と同時に供給される水平同期信号を基準として、サンプリングクロック信号およびデータクロック信号を生成して、ＰＤＰモジュール１３０に出力する。
【０１２８】
アナログインタフェース１２０のＰＬＥ制御回路１２７は、ＰＤＰの輝度制御を行う。具体的には、平均輝度レベルが所定値以下である場合には表示輝度を上昇させ、平均輝度レベルが所定値を超える場合には、表示輝度を低下させるように制御する。
【０１２９】
システム・コントロール回路１２６は、ＰＤＰモジュール１３０に対して、各種制御信号を出力する。
【０１３０】
ＰＤＰモジュール１３０は、ディジタル信号処理・制御回路１３１と、パネル部１３２と、ＤＣ／ＤＣコンバータを内蔵するモジュール内電源回路１３３とから構成されている。ディジタル信号処理・制御回路１３１は、入力インタフェース信号処理回路１３４と、フレームメモリ１３５と、メモリ制御回路１３６と、ドライバ制御回路１３７とを含んでいる。
【０１３１】
入力インタフェース信号処理回路１３４は、システム・コントロール回路１２６から発信される各種制御信号、逆γ変換回路１２５から発信されるＲＧＢ映像信号、同期信号制御回路１２３から発信される同期信号、ＰＬＬ回路から発信されるデータクロック信号を受信する。
【０１３２】
入力インタフェース信号処理回路１３４に入力された映像信号の平均輝度レベルは、入力インタフェース信号処理回路１３４内の入力信号平均輝度レベル演算回路（図示略）によって計算されて、例えば５ビットデータとして出力される。また、ＰＬＥ制御回路１２７は、平均輝度レベルに応じてＰＬＥ制御データを設定して、入力インタフェース信号処理回路１３４内の輝度レベル制御回路（図示略）に供給する。
【０１３３】
ディジタル信号処理・制御回路１３１では、入力インタフェース信号処理回路１３４において、これらの各種信号の処理を行ったのち、制御信号をパネル部１３２に送信する。これと同時に、メモリ制御回路１３６はメモリ制御信号を、ドライバ制御回路１３７はドライバ制御信号を、それぞれパネル部１３２に送信する。
【０１３４】
パネル部１３２は、ＰＤＰ１５０と、ＰＤＰ１５０の走査電極を駆動する走査ドライバ１３８と、ＰＤＰ１５０のデータ電極を駆動するデータドライバ１３９と、ＰＤＰ１５０および走査ドライバ１３８にパルス電圧を供給する高圧パルス回路１４０と、高圧パルス回路１４０からの余剰電力を回収する電力回収回路１４１とを備えて構成されている。
【０１３５】
ＰＤＰ１５０は、例えば１３６５個×７６８個に配列された画素を有するものとして構成されている。ＰＤＰ１５０においては、走査ドライバ１３８が走査電極を制御し、データドライバ１３９がデータ電極（アドレス電極）を制御することによって、これらの画素のうちの所定の画素の点灯または非点灯が制御されて、所望の画像表示が行われる。
【０１３６】
このようなプラズマ表示装置１００は、ＰＤＰ１５０を備えているため、高品質のプラズマ表示装置とすることができる。
【０１３７】
なお、上記の実施例では、図５に示すように、オフセット電圧を４段階に変化させる例を示しているが、段階数はプラズマディスプレイパネルの特性に応じて適宜に増減すると良い。
【０１３８】
また、例えば、オフセット電圧上限値及びオフセット電圧下限値のスキャンパルス幅に対する変動の割合が大きい場合には、段階数を増加させ、変動の割合が小さい場合には段階数を減少させることにより、プラズマディスプレイパネルの特性に応じた設定が可能になる。
【０１３９】
また、階段状に変化させる例では、各階段のそれぞれのステップのオフセット電圧値を個別に設定（変更）可能にしてもよいし、各ステップにおけるオフセット電圧値の相対的な電圧値の関係は一定にしたままで（例えば、図５に示すオフセット電圧変化曲線Ｅの形状は一定にしたままで）で、全体（例えば、図５に示すオフセット電圧変化曲線Ｅの全体）を上下にシフトする構成としても良い。これらの選択は、パネル特性との関係、回路構成の容易さやコストとの関係で基本的には決定される。
【０１４０】
更に、図５では、オフセット電圧値を階段状に変化させる例を示しているが、オフセット電圧値をリニアに変化させても良いし、或いは、曲線状に変化させても良い。
【０１４１】
また、実施例１に係るプラズマ表示装置１００は、選択消去方式であっても良いし、選択書込方式であっても良い。
【０１４２】
以上のような実施例１によれば、複数の表示セルを有するプラズマディスプレイパネル１５０を備え、前記複数の表示セルのうち所望の表示セルに対してスキャンパルスを印加することにより、当該所望の表示セルを表示発光させる表示セルとして選択し、該選択された表示セルを維持放電させて表示発光させるプラズマ表示装置１００において、スキャンパルスを印加してから選択放電が開始されるまでの遅れ時間に応じてスキャンパルスの幅を設定するスキャンパルス幅設定手段（必要スキャンパルス幅判定手段２３及びＳＦあたり維持放電回数対必要スキャンパルス幅設定値変換テーブル２４により構成される）と、前記スキャンパルス幅設定手段により設定されるスキャンパルス幅に応じて、基準値に対するスキャンパルスの電圧のオフセット量を設定するオフセット電圧設定手段（オフセット電圧制御最適値判定手段２７及びスキャンパルス幅対オフセット電圧制御最適値変換テーブル２８により構成される）と、前記オフセット電圧設定手段により設定されたオフセット量だけ前記基準値からオフセットされた電圧値のスキャンパルスをプラズマディスプレイパネル１５０に対して出力するスキャンパルス出力手段（Ｙ側ドライブ回路３１により構成される）と、を備えるので、スキャンパルスを印加してから選択放電が開始されるまでの遅れ時間（スキャン放電遅れ時間）の長さに応じてスキャンパルス幅を変化させる技術において、オフセットマージンが狭い場合であっても、スキャンパルスの電圧（スキャンパルスのオフセット電圧）がオフセットマージン内に入るようにすることができる。よって、オフセットマージンが狭い場合であっても、スキャンパルス幅の設定範囲を広範に変化させることが可能となる。
【図面の簡単な説明】
【０１４３】
【図１】プラズマディスプレイパネルの駆動波形の一部を示すタイムチャートである。
【図２】直前の維持放電期間が終了してからの経過時間とスキャン放電遅れ時間との関係を示す図である。
【図３】スキャンパルス幅と、オフセット電圧上限値及びオフセット電圧下限値との関係を示す図である。
【図４】実施例１に係るプラズマ表示装置の構成を示すブロック図である。
【図５】スキャンパルス幅と、オフセット電圧上限値及びオフセット電圧下限値と、オフセット電圧と、の関係を示す図である。
【図６】オフセット電圧発生手段の構成を示す回路図である。
【図７】プラズマディスプレイパネルの構造を示す分解斜視図である。
【図８】プラズマ表示装置の構成を示すブロック図である。
【符号の説明】
【０１４４】
２３    必要スキャンパルス幅判定手段（スキャンパルス幅設定手段を構成する）
２４    ＳＦあたり維持放電回数対必要スキャンパルス幅設定値変換テーブル（スキャンパルス幅設定手段を構成する）
２７    オフセット電圧制御最適値判定手段（オフセット電圧設定手段を構成する、最適オフセット電圧判定手段）
２８    スキャンパルス幅対オフセット電圧制御最適値変換テーブル（オフセット電圧設定手段を構成する、スキャンパルス幅−オフセット電圧最適値変換用テーブル）
２９    オフセット電圧制御手段（切替制御手段）
３０    オフセット電圧発生手段（電源手段、切替手段）
１００  プラズマ表示装置
【図１】
2007264414.tif 000003
【図２】
2007264414.tif 000004
【図３】
2007264414.tif 000005
【図４】
2007264414.tif 000006
【図５】
2007264414.tif 000007
【図６】
2007264414.tif 000008
【図７】
2007264414.tif 000009
【図８】
2007264414.tif 000010